(57)【要約】【課題】可飽和リアクターを使用せずに、インナーピン歪が低減されている陰極線管装置を提供する。【解決手段】パネルに映し出される画像の最外周の第１方向に伸びる辺を、ピンクッション方向に歪ませるピンクッション磁石３１、３２と、画像の最外周の前記第１方向に伸びる辺をバレル方向に歪ませ、かつ、画像の最外周の第２方向に伸びる辺と前記画像の中央部との中間に形成される第２方向に伸びる線を、バレル方向に歪ませるバレル磁石３３とを備えている。【選択図】  図２
2005005002.tif 000002
【特許請求の範囲】
【請求項１】
パネルと、ファンネルと、前記ファンネルの外周に設置された偏向装置とを備えた陰極線管装置において、
前記パネルに映し出される画像の最外周の第１方向に伸びる辺を、ピンクッション方向に歪ませるピンクッション磁石と、
前記画像の最外周の前記第１方向に伸びる辺をバレル方向に歪ませ、かつ、前記画像の最外周の第２方向に伸びる辺と前記画像の中央部との中間に形成される前記第２方向に伸びる線を、バレル方向に歪ませるバレル磁石とを備えたことを特徴とする陰極線管装置。
【請求項２】
前記第１方向は水平方向であり、
前記第２方向は鉛直方向である、請求項１に記載の陰極線管装置。
【請求項３】
前記ピンクッション磁石および前記バレル磁石は、どちらも、前記ファンネルを挟むように、鉛直方向に対になるように対向して、Ｎ極端とＳ極端とが水平になるように、前記偏向装置に設置された、少なくとも一対の磁石であり、
前記一対の磁石は、それぞれの対となる磁石どうしが対向する極性が逆になるように設置されていて、
前記ピンクッション磁石の水平方向の最端部と、前記バレル磁石の水平方向の最端部とが、同一鉛直線状には設置されていない、請求項２に記載の陰極線管装置。
【請求項４】
前記バレル磁石は一対であり、
対となる各磁石の中心は、前記偏向装置の鉛直中心線上にある、請求項３に記載の陰極線管装置。
【請求項５】
前記ピンクッション磁石は二対であり、
各前記ピンクッション磁石の対どうしは、前記偏向装置の鉛直中心線に対して左右対称に設置されている、請求項３または請求項４に記載の陰極線管装置。
【請求項６】
前記第１方向は鉛直方向であり、
前記第２方向は水平方向である、請求項１に記載の陰極線管装置。
【請求項７】
前記ピンクッション磁石および前記バレル磁石は、どちらも、前記ファンネルを挟むように、水平方向に対になるように対向して、Ｎ極端とＳ極端とが鉛直になるように、前記偏向装置に設置された、少なくとも一対の磁石であり、
前記一対の磁石は、それぞれの対となる磁石どうしは対向する極性が逆になるように設置されていて、
前記ピンクッション磁石の鉛直方向の最端部と、前記バレル磁石の鉛直方向の最端部とが、同一水平線状には設置されていない、請求項６に記載の陰極線管装置。
【請求項８】
前記バレル磁石は一対であり、
対となる各磁石の中心は、前記偏向装置の水平中心線上にある、請求項７に記載の陰極線管装置。
【請求項９】
前記ピンクッション磁石は二対であり、
各前記ピンクッション磁石の対どうしは、前記偏向装置の水平中心線に対して上下対称に設置されている、請求項７または請求項８に記載の陰極線管装置。
【請求項１０】
前記ピンクッション磁石および前記バレル磁石は、前記偏向装置の前記パネル側に備え付けられている、請求項１ないし請求項９のいずれかに記載の陰極線管装置。
【請求項１１】
前記バレル磁石の磁界強度は、前記ピンクッション磁石の磁界強度の１〜１．２倍である、請求項１に記載の陰極線管装置。
【発明の詳細な説明】
【０００１】
【発明の属する技術分野】
本発明はテレビジョン受像機やコンピュータディスプレイに用いられる陰極線管装置に関する。特に、ラスタ歪の１つであるインナーピンクッション歪（内部糸巻き歪）を補正する陰極線管装置に関する。
【０００２】
【従来の技術】
近年、ディスプレイモニタやテレビに使用される陰極線管装置において、画面の大型化、フラット化が進展している。それにより、陰極線管装置においては、パネル（画面）で表示された画像の外周部が、中央部に向かって凸状に湾曲するピンクッション形状のラスタ歪が生じる。
【０００３】
ＧＵＩ（ｇｒａｐｈｉｃａｌ  ｕｓｅｒ  ｉｎｔｅｒｆａｃｅ）を利用したＯＳ（ｏｐｅｒａｔｉｎｇ  ｓｙｓｔｅｍ）や、デジタルテレビ等の普及に伴い、これからも、さらに画面に表示する情報量が多くなるため、このようなラスタ歪等をなくして、陰極線管装置の特性を向上させることが非常に強く求められている。
【０００４】
パネルに表示された画像の最外周が、中央部に向かって凸状に湾曲するピンクッション形状のラスタ歪を補正する方法は種々実施されている。しかし、その補正により最外周の歪が解消される代りに、画像の中央部と最外周との中間の縦線が歪む、インナーピンクッション歪が生じるという問題があった。
【０００５】
従来は、例えば、水平、垂直回路にコイルを付加して、可飽和リアクターとして使用し、インナーピンクッション歪を補正していた（例えば、特許文献１参照）。
【０００６】
【特許文献１】
特開平９−１４９２８３号公報
【０００７】
【発明が解決しようとする課題】
しかし、可飽和リアクターを使用するためには、コイルに電流を流す必要があり、パワーロスやうなり音が生じるという問題点があった。例えば、可飽和リアクターの消費電力は約４［Ｗ］で、偏向ヨークの消費電力全体の７［％］程度も必要となる。また、可飽和リアクターを用いると、部材数が増加するため、材料費及び組み立て工数が増加するという問題点もあった。
【０００８】
本発明は、上記問題点に鑑みなされたもので、可飽和リアクターを使用せずに、インナーピンクッション歪が低減されている陰極線管装置を提供することを目的とする。
【０００９】
【課題を解決するための手段】
本発明の陰極線管装置は、パネルと、ファンネルと、前記ファンネルの外周に設置された偏向装置とを備えた陰極線管装置において、前記パネルに映し出される画像の最外周の第１方向に伸びる辺を、ピンクッション方向に歪ませるピンクッション磁石と、前記画像の最外周の前記第１方向に伸びる辺をバレル方向に歪ませ、かつ、前記画像の最外周の第２方向に伸びる辺と前記画像の中央部との中間に形成される前記第２方向に伸びる線を、バレル方向に歪ませるバレル磁石とを備えている。
【００１０】
【発明の実施の形態】
本発明の陰極線管装置によれば、インナーピンクッション歪を補正することができる。それにより、良好な画像表示を行なうことができる。
【００１１】
ここで、前記画像の最外周の第２方向に伸びる辺と前記画像の中央部との中間に形成される前記第２方向に伸びる線とは、前記第２方向が鉛直方向である場合には、例えば、画像の最外周の左右端間の５／８に当たる付近に形成される内部縦線のことである。この内部縦線は、ラスタ歪補正前には、もっとも強く歪みが生じている部分である。なお、内部縦線の形成箇所は、上記形成箇所に限定されるわけではない。
【００１２】
また、前記画像の最外周の第２方向に伸びる辺と前記画像の中央部との中間に形成される前記第２方向に伸びる線とは、前記第２方向が水平方向である場合には、例えば、画像の最外周の上下端間の５／８に当たる付近に形成される内部横線のことである。この内部横線は、ラスタ歪補正前には、もっとも強く歪みが生じる部分である。なお、内部横線の形成箇所は、上記形成箇所に限定されるわけではない。
【００１３】
また、前記第１方向は水平方向であり、前記第２方向は鉛直方向としてもよい。
【００１４】
また、好ましくは、前記ピンクッション磁石および前記バレル磁石は、どちらも、前記ファンネルを挟むように、鉛直方向に対になるように対向して、Ｎ極端とＳ極端とが水平になるように、前記偏向装置に設置された、少なくとも一対の磁石であり、前記一対の磁石は、それぞれの対となる磁石どうしが対向する極性が逆になるように設置されていて、前記ピンクッション磁石の水平方向の最端部と、前記バレル磁石の水平方向の最端部とが、同一鉛直線状には設置されていない。それにより、画像の左右端と中央部との間の縦線に生じる歪を補正することができる。このようにすることで、ピンクッション磁石およびバレル磁石どうしが、お互いの磁力を打ち消し合うことがない。そのため、十分な歪補正が行なわれる。
【００１５】
なお、ピンクッション磁石またはバレル磁石の水平方向の最端部とは、ピンクッション磁石またはバレル磁石が一対である場合には、一対の片方の磁石の両端のことである。また、ピンクッション磁石またはバレル磁石が複数対である場合には、片方に形成された複数の磁石の両端に設置された磁石の各外側の端部間のことである。
【００１６】
また、前記バレル磁石は一対であり、対となる各磁石の中心は、前記偏向装置の鉛直中心線上にある構成としてもよい。
【００１７】
また、前記ピンクッション磁石は二対であり、各前記ピンクッション磁石の対どうしは、前記偏向装置の鉛直中心線に対して左右対称に設置される構成としてもよい。
【００１８】
また、前記第１方向は鉛直方向であり、前記第２方向は水平方向としてもよい。
【００１９】
また、好ましくは、前記ピンクッション磁石および前記バレル磁石は、どちらも、前記ファンネルを挟むように、水平方向に対になるように対向して、Ｎ極端とＳ極端とが鉛直になるように、前記偏向装置に設置された、少なくとも一対の磁石であり、前記一対の磁石は、それぞれの対となる磁石どうしは対向する極性が逆になるように設置されていて、前記ピンクッション磁石の鉛直方向の最端部と、前記バレル磁石の鉛直方向の最端部とが、同一水平線状には設置されていない。それにより、画像の上下端と中央部との間の横線に生じる歪を補正することができる。このようにすることで、ピンクッション磁石およびバレル磁石どうしが、お互いの磁力を打ち消し合うことがない。そのため、十分な歪補正が行なわれる。
【００２０】
なお、ピンクッション磁石またはバレル磁石の鉛直方向の最端部とは、ピンクッション磁石またはバレル磁石が一対である場合には、一対の片方の磁石の両端のことである。また、複数対である場合には、片方に形成された複数の磁石の両端に設置された磁石の各外側の端部のことである。
【００２１】
また、前記バレル磁石は一対であり、対となる各磁石の中心は、前記偏向装置の水平中心線上にある構成としてもよい。
【００２２】
また、前記ピンクッション磁石は二対であり、各前記ピンクッション磁石の対どうしは、前記偏向装置の水平中心線に対して上下対称に設置されている構成としてもよい。
【００２３】
また、好ましくは、前記ピンクッション磁石および前記バレル磁石は、前記偏向装置の前記パネル側に備え付けられている。それにより、前記ピンクッション磁石および前記バレル磁石がコンバーゼンスに与える影響は小さい。
【００２４】
また、好ましくは、前記バレル磁石の磁界強度は、前記ピンクッション磁石の磁界強度の１〜１．２倍である。それにより、歪の補正が正しく行なわれる。
【００２５】
以下、本発明の実施形態のさらに具体的な例について図を用いて説明する。
【００２６】
図１は、本発明の実施の形態にかかる陰極線管装置の概略構成を示す側面図である。なお、パネルを正面とし、偏向ヨークに関しては断面を示している。
【００２７】
本実施の形態にかかる陰極線管装置１は、内面に蛍光体スクリーン（図示せず）を有するガラス製のパネル２と、その後部に接続されたガラス製のファンネル３と、ファンネル３の外周面に設置された偏向ヨーク５（偏向装置）とを備えている。
【００２８】
ファンネル３の後端部のネック部４の内部には、複数の電子ビームを射出するための電子銃１３が内蔵されている。また、図示を省略しているが、通常は、ネック部４内には、パネル２の内面に設置された蛍光体スクリーンに対して、シャドウマスクやアパーチャグリルと呼ばれる色選別電極が、所定距離だけ離間して対向設置されている。
【００２９】
偏向ヨーク５は、電子銃１３から射出された電子ビームを偏向するためのもので、ファンネル３の外周面に設置されている。例えば、サドル−サドル型の偏向ヨークの場合、その内側から、それぞれ略円錐台形状の、水平偏向コイル６、樹脂製の絶縁支持枠８、垂直偏向コイル７およびフェライト製のコア１０が順次設置されて構成されている。
【００３０】
偏向ヨーク５の電子銃１３側には、無偏向状態での電子ビーム集中（スタティックコンバーゼンス）を得るための、それぞれ２極、４極、６極に着磁された１対のコンバーゼンスマグネット１１が設けられている。
【００３１】
図２は、本発明の実施の形態に係る偏向ヨークの正面図を示している。図２に示すように、上下の絶縁支持枠８には、２対のピンクッション磁石３１、３２および１対のバレル磁石３３が設置されている。これら、ピンクッション磁石３１、３２およびバレル磁石３３が設置されることで、インナーピンクッション歪みが補正される。
【００３２】
また、これらの磁石は、図１に示すように、偏向ヨーク５のパネル２側に設置され、電子銃１３側には設置されない。そのため、コンバーゼンスに与える影響を小さくすることができる。
【００３３】
ピンクッション磁石３１は、偏向ヨーク５の上下に、対になるように対向設置された磁石である。同じように、ピンクッション磁石３２は、偏向ヨーク５の上下に、対になるように対向設置された磁石である。さらに、ピンクッション磁石３１とピンクッション磁石３２とは、それぞれ、偏向ヨーク５の鉛直中心線２３に対して、左右に対称となるように設置されている。また、バレル磁石３３は、偏向ヨーク５の上下に、対になるように対向設置された磁石であり、各バレル磁石３３の中央部は、偏向ヨーク５の鉛直中心線２３上にある。すなわち、バレル磁石３３自体が、鉛直中心線２３に対して対称になるように設置されている。
【００３４】
バレル磁石３３を設置することで、パネル２に表示される画像の最外周を示す長方形のラスタが、バレル方向に湾曲する歪を生じる。さらに、画像の中央部と最外周との中間部が、バレル方向に湾曲する歪が生じる。また、ピンクッション磁石３１、３２を設置することで、画像の最外周を示す長方形のラスタが、ピンクッション方向に湾曲する歪が生じる。
【００３５】
なお、ピンクッション方向に歪むとは、パネル２に表示された画像が、内側に凸となるように湾曲することをいう。また、バレル方向に歪むとは、外側に凸となるように湾曲することをいう。
【００３６】
上述の構成を有する本実施の形態の陰極線管装置において、インナーピンクッション歪を補正することができることについて説明する。なお、本明細書においては、外部正面からパネル２を見た場合を基準にして、上下左右を規定している。また、図５〜図１３は、ピンクッション磁石３１、３２およびバレル磁石３３と、パネル２に表示される画像との配置を模式的に表わしたものである。
【００３７】
まず、インナーピンクッション歪みについて説明する。ラスタに歪みが生じていなければ、図３に示すように画像の最外周２１が長方形で、画像の中央部と最外周との中間に位置する内部縦線２２が直線であるように表示されているとする。図４は、ラスタに歪が生じ、インナーピンクッション歪が生じている画像を示していて、最外周２１は長方形で歪が生じていないが、内部縦線２２がピンクッション方向に歪んでいる。これは、ラスタの、上下左右とも最外周における振幅は正常であるにもかかわらず、左右の振幅が、画像の中央部ほど不足することにより生じる。
【００３８】
まず、ピンクッション磁石３１、３２およびバレル磁石３３を備えていない場合に、図４に示すインナーピンクッション歪が生じていたとする。内部縦線２２は、最外周２１の左右端間の５／８に当たる付近であり、この周辺でもっとも強く歪みが生じる。
【００３９】
まず、ピンクッション磁石３１、３２を設置することにより生じる画像の歪みについて説明する。図２で示したように、偏向ヨーク５の上側に設置されているピンクッション磁石３１、３２磁石のＮ極は左に、Ｓ極は右になるように設置され、下側に設置されているピンクッション磁石３１、３２のＮ極は右に、Ｓ極は左になるように設置されている。なお、以下では、極性の方向をこのように設置した磁石を逆磁石という。
【００４０】
図５は、ピンクッション磁石３１、３２のみの、画像に対する設置位置とその磁力線を示している。図５に示しているように、ピンクッション磁石３１、３２は、画像（最外周２１および内部縦線２２）の上下に対向するよう設置され、対向する側の極性が異なるように設置されている。また、内部縦線２２をピンクッション磁石３１、３２の各磁石の中心が上下から挟むように設置されている。
【００４１】
なお、図５で示している画像の最外周２１および内部縦線２２は、図１に示している、ピンクッション磁石３１、３２で上下から挟まれている位置２ａを表示画面とした時に表示されるであろう画像を模式的に表わしたものであって、実際に目視できるものではない。また、厳密には、パネル２上で長方形および直線で表示されるのであれば、位置２ａにおいては、歪みが生じた画像を形成している可能性はある。しかし、簡略化のため、パネル２上で表示されている形状を図示している。なお、図６〜図１３も同様に、ピンクッション磁石３１、３２、３４、３１ａ、３２ａ、３４ａまたはバレル磁石３３、３３ａを含む面で、表示されるであろう画像を図示している。
【００４２】
このように設置することで、ピンクッション磁石３１、３２による磁力線の方向および分布は、図５に示しているようになる。すなわち、最外周２１の上側に影響を与える磁力線４１ａは、上側に設置されたピンクッション磁石３２のＮ極から、上側に設置されたピンクッション磁石３１のＳ極に向けて形成される。最外周２１の下側に影響を与える磁力線４１ｂは、下側に設置されたピンクッション磁石３１のＮ極から、下側に設置されたピンクッション磁石３２のＳ極に向けて形成される。また、最外周２１の右側に影響を与える磁力線４１ｃは、下側に設置されたピンクッション磁石３１のＮ極から、上側に設置されたピンクッション磁石３１のＳ極に向けて形成される。また、最外周２１の左側に影響を与える磁力線４１ｄは、上側に設置されたピンクッション磁石３２のＮ極から、下側に設置されたピンクッション磁石３２のＳ極に向けて形成される。
【００４３】
これにより、図３に示している長方形および直線に表示されるべき最外周２１および内部縦線２２は、図６に示しているように歪む。すなわち、内部縦線２２は実質的に歪まずほぼ直線のままで、長方形の最外周２１の各辺が、ピンクッション方向に歪む。図６に示しているように、内部縦線２２が、ちょうど各ピンクッション磁石３１、３２のそれぞれ対向設置された磁石の中心付近で挟まれていることにより、内部縦線２２付近には鉛直方向の磁界成分がほとんど無いため、内部縦線２２は実質的に歪まない。このように、ピンクッション磁石３１、３２は、内部縦線２２には影響を与えずに、長方形の最外周２１の各辺に影響を与えるような位置に設置される。
【００４４】
次に、バレル磁石３３を設置することにより生じる画像の歪みについて説明する。図２で示したように、偏向ヨーク５の上側に設置されているバレル磁石３３のＮ極は右に、Ｓ極は左になるように設置され、下側に設置されているバレル磁石３３のＮ極は左に、Ｓ極は右になるように設置されている。なお、以下では、極性の方向をこのように設置した磁石を順磁石という。
【００４５】
図７は、バレル磁石３３のみの、画像に対する設置位置とその磁力線を示している。図７に示しているように、バレル磁石３３は、画像（最外周２１および内部縦線２２）の上下に対向するよう設置され、対向する側の極性が異なるように設置されている。また、画像（最外周２１および内部縦線２２）の左右端の略中心に、各バレル磁石３３の中心線が配置されるように設置されている。
【００４６】
このように設置することで、バレル磁石３３による磁力線の方向および分布は、図７に示しているようになる。すなわち、最外周２１の上側に影響を与える磁力線４２ａは、上側に設置されたバレル磁石３３のＮ極からＳ極に向けて形成される。最外周２１の下側に影響を与える磁力線４２ｂは、下側に設置されたバレル磁石３３のＮ極からＳ極に向けて形成される。また、最外周２１の右側に影響を与える磁力線４２ｃは、上側に設置されたバレル磁石３３のＮ極から、下側に設置されたバレル磁石３３のＳ極に向けて形成される。また、最外周２１の左側に影響を与える磁力線４２ｄは、下側に設置されたバレル磁石３３のＮ極から、上側に設置されたバレル磁石３３のＳ極に向けて形成される。さらに、内部縦線２２に影響を与える磁力線が形成されている。具体的には、右側の内部縦線２２に影響を与える磁力線４２ｅは、上側に設置されたバレル磁石３３のＮ極から、下側に設置されたバレル磁石３３のＳ極に向けて形成される。また、左側の内部縦線２２に影響を与える磁力線４２ｆは、下側に設置されたバレル磁石３３のＮ極から、上側に設置されたバレル磁石３３のＳ極に向けて形成される。
【００４７】
これにより、図３に示している長方形および直線に表示されるべき最外周２１および内部縦線２２は、図８に示しているように歪む。すなわち、長方形の最外周２１の各辺および直線の内部縦線２２がバレル方向に歪む。最外周２１の各辺および内部縦線２２が磁力線の影響を受けていて、磁石の極性が、ピンクッション磁石３１、３２の逆であるためである。このように、バレル磁石３３は、最外周２１の各辺すべて、および内部縦線２２に影響を与えるような位置に設置される。
【００４８】
ピンクッション磁石（逆磁石）３１、３２およびバレル磁石（順磁石）３３を、共に偏向ヨーク５に設置することで、インナーピンクッション歪を補正することができる。まず、ピンクッション用磁石（逆磁石）３１、３２だけ設置することで、最外周２１の各辺（上下左右）は、ピンクッション方向に歪む。そのため、図４に示しているインナーピン歪は、長方形である最外周２１の各辺（上下左右）がピンクッション方向に歪むので、図９に示すようになる。すなわち、最外周２１の各辺（上下左右）および内部縦線２２がピンクッション方向に歪む。さらに、バレル磁石（順磁石）３３が設置されると、最外周２１の外周の各辺（上下左右）および内部縦線２２は、バレル方向に歪む。それにより、図９に示しているピンクッション方向に歪んでいる最外周２１の各辺および内部縦線２２が全てバレル方向に歪まそうとするので、結局すべて直線となる。つまり、図１０に示しているように、長方形の最外周２１と直線の内部縦線２２に補正される。
【００４９】
ここで、ラスタの歪をバレル方向に補正する順磁石と、ピンクッション方向に補正する逆磁石とを組み合わせて、ピンクッション方向の歪を補正する場合は、順磁石の磁界強度を逆磁石の磁界強度よりも強くすることが好ましい。具体的には、順磁石の磁界強度を逆磁石の１〜１．２倍の磁界強度とすればよい。順磁石の磁界強度が弱いと、十分な補正が行われず、強すぎると、歪にうねりが生じてしまい、十分な補正ができない。本実施の形態においても、バレル磁石（順磁石）３３の磁界強度をピンクッション磁石（逆磁石）３１、３２の磁界強度の１〜１．２倍とすることが好ましい。
【００５０】
なお、例えば、最外周２１には歪がなく、内部縦線２２がバレル方向に歪んでいる場合は、ピンクッション磁石３１、３２およびバレル磁石３３の極性を逆にすることで、歪を補正することができる。具体的には、ピンクッション磁石３１、３２の上側に設置されている磁石のＮ極は右に、Ｓ極は左になるように設置する。また、バレル磁石３３の上側に設置されている磁石のＮ極は左に、Ｓ極は右になるように設置する。同様に、ピンクッション磁石３１、３２の下側に設置されている磁石のＮ極は左に、Ｓ極は右になるように設置する。また、バレル磁石３３の下側に設置されている磁石のＮ極は右に、Ｓ極は左になるように設置すればよい。
【００５１】
磁石を設置する場合、ピンクッション磁石（逆磁石）３１、３２およびバレル磁石（順磁石）３３の同極どうしが近接する。そのため、実際に絶縁支持枠８にピンクッション磁石（逆磁石）３１、３２およびバレル磁石（順磁石）３３を設置した場合に、互いに反発しあうため、磁石の位置を固定する事が難しい。そのため、絶縁支持枠８に、ピンクッション磁石３１、３２およびバレル磁石３３の保持機構を設け、それらの取り付け位置のばらつきを小さくする事が望ましい。
【００５２】
また、図１１に示すように、２対のピンクッション磁石（逆磁石）３１、３２の代りに、それらよりも水平方向に長い、一対のピンクッション磁石（逆磁石）３４を用いてもよい。ピンクッション磁石（逆磁石）３４を用いた場合であっても、磁力線の方向および分布は、図５に示した磁力線４１ａ〜４１ｄと同一の方向および分布となるため、同様の効果を得ることができる。
【００５３】
なお、ピンクッション磁石の水平方向の最端部と、バレル磁石の水平方向の最端部とが、同一鉛直線状には設置されていないように構成することが好ましい。そうすることで、ピンクッション磁石およびバレル磁石とが、お互いに磁力を打ち消し合うことなく、十分な歪補正を行なうことができる。例えば、上述のように、それぞれ一対の磁石であるピンクッション磁石３４およびバレル磁石３３を用いる場合には、ピンクッション磁石３４の水平方向の端部間の長さと、バレル磁石３３の水平方向の端部間の長さとは異なっていることが好ましい。これらが同一の長さであると、それぞれの磁石の端部が、同一鉛直線状に設置されることになり、お互いに磁力を打ち消し合うことになる。そうすると、図５および図７に示した磁力線４１ａ〜４１ｄおよび４２ａ〜４２ｆが形成されず、歪補正を行なうことができない。また、それぞれの磁石が、複数対の磁石である場合には、それぞれの磁石の水平方向の最端部間の距離が異なっていることが好ましい。つまり、一方（上、下、左または右）に形成された複数の磁石の両端に設置された磁石の各外側の端部間の長さが、それぞれ異なっていることが好ましい。例えば、図１０に示す構成の場合は、バレル磁石３３の水平方向の端部間の距離と、ピンクッション磁石３２の外側（左側）の端部とピンクッション磁石３１の外側（右側）の端部との距離とが異なっていることが好ましい。このような構成とすることで、歪補正を十分に行なうことができる。
【００５４】
なお、ピンクッション磁石は、図５に示した磁力線４１ａ〜４１ｄと同一の方向および同一の分布の磁力を生じさせればよい。また、バレル磁石は、図７に示した磁力線４２ａ〜４２ｆと同一の方向および同一の分布の磁力を生じさせればよい。したがって、このような磁力分布を生じさせることができるならば、ピンクッション磁石を一または二対以外の複数対で形成してもよく、バレル磁石も、複数対で形成してもよい。ピンクッション磁石およびバレル磁石の対の数を増加させることで、個々の磁石の形状を小さくすることができる。それにより、温度変化による着磁量の変化を小さくすることができ、安定した歪補正を行なうことができる。したがって、ピンクッション磁石およびバレル磁石の少なくとも一方が複数対であることが好ましい。
【００５５】
なお、本実施の形態において、ピンクッション磁石３１、３２、３４およびバレル磁石３３をそれぞれ設置することで生じる歪みは、最外周２１の上下の辺と左右の辺とで同様に図示しているが、実際には、上下の辺の歪みが大きく、それに比べて左右の辺の歪みはわずかである。したがって、ピンクッション磁石３１、３２、３４およびバレル磁石３３によって、最外周２１の少なくとも上下の辺に歪が生じればよい。
【００５６】
以上、インナーピン歪の補正について説明したが、図１２に示すような、画像の最外周２１の上下と画像の中央部との中間に位置する内部横線２２ａがピンクッション方向に歪んでいる場合も補正が可能である。これは、図４のインナーピンクッション歪が、９０度回転した状態であるので、上記説明した補正するための各磁石の設置位置を９０度回転した位置とすればよい。図４の補正においては、偏向ヨーク５の鉛直中心線２３を基準として、各磁石の設置位置を決めたが、図１２の場合は、その代りに偏向ヨーク５の水平中心線を基準として同様に設置位置を決めればよい。
【００５７】
例えば、図１２に示すような配置となるように、水平方向に対になるピンクッション磁石３１ａ、３２ａおよびバレル磁石３３ａを偏向ヨーク５に設置（図示せず）することによって、最外周２１の外周を直線に保ちながら内部横線２２ａの歪を補正することができる。なお、図１３のように、２対のピンクッション磁石３１ａ、３２ａの代りに、一対のピンクッション磁石３４ａを用いても同様の効果を得ることができる。
【００５８】
なお、ピンクッション磁石の鉛直方向の最端部と、バレル磁石の鉛直方向の最端部とが、同一水平線状には設置されていないように構成することが好ましい。そうすることで、ピンクッション磁石およびバレル磁石とが、お互いに磁力を打ち消し合うことなく、十分な歪補正が実現される。例えば、図１３に示す構成の場合は、ピンクッション磁石３４ａおよびバレル磁石３３ａの各鉛直方向の端部間の長さが異なっていることが好ましい。これらが同一の長さであると、それぞれの磁石の端部が、同一水平線状に設置されることになり、お互いに磁力を打ち消し合うことになり、十分な歪補正を行なうことができない。また、例えば、図１２に示す構成の場合は、バレル磁石３３ａの鉛直方向の端部間の距離と、ピンクッション磁石３２ａの外側（下側）の端部とピンクッション磁石３１ａの外側（上側）の端部との距離とが異なっていることが好ましい。このような構成とすることで、歪補正を十分に行なうことができる。
【００５９】
なお、ピンクッション磁石およびバレル磁石は、例えば、図１２に示したピンクッション磁石３１ａ、３２ａおよびバレル磁石３３ａを設置した場合と同一の方向および同一の分布の磁力を生じさせれば、他の構成でもよい。
【００６０】
また、ピンクッション磁石３１ａ、３２ａ、３４ａおよびバレル磁石３３ａの極性は、内部横線２２ａの歪がピンクッション方向かバレル方向かに応じて変更すればよい。具体的には、内部横線２２ａがピンクッション方向に歪んでいる場合には、ピンクッション磁石３１ａ、３２ａ、３４ａのうち右側に設置する磁石は、Ｎ極を上にＳ極を下になるように設置し、左側に設置する磁石は、Ｎ極を下にＳ極を上なるように設置する（逆磁石）。そのときのバレル磁石３３ａのうち、右側に設置する磁石は、Ｎ極を下にＳ極を上になるように設置し、左側に設置する磁石は、Ｎ極を上にＳ極を下になるように設置する（順磁石）。内部横線２２ａがバレル方向に歪んでいる場合には、全ての磁石の極性を逆になるように設置すればよい。
【００６１】
なお、ピンクッション磁石３１ａ、３２ａ、３４ａおよびバレル磁石３３ａをそれぞれ設置することで生じる歪みは、最外周２１の上下の辺と左右の辺とで同様に図示しているが、実際には、左右の辺の歪みが大きく、それに比べて上下の辺の歪みはわずかである。
【００６２】
また、本実施の形態の陰極線管装置に、さらに、可飽和リアクターを併用することにより、より大きなインナーピンクッション歪補正効果を得ることができる。
【００６３】
なお、本実施の形態のピンクッション磁石およびバレル磁石は、偏向ヨーク５のパネル側２に設置することが望ましい。電子銃１３側に設置すると、大きなミスコンバーゼンスを引き起こしてしまい、偏向ヨーク５よりもさらに、パネル２側に設置すると、インナーピン歪補正効果が小さくなってしまうためである。
【００６４】
なお、ピンクッション磁石は、パネル２に映し出される画像の最外周の第１方向に伸びる辺を、ピンクッション方向に歪ませるような磁石であればよい。また、バレル磁石は、画像の最外周の前記第１方向に伸びる辺をバレル方向に歪ませ、かつ、画像の最外周の第２方向に伸びる辺と画像の中央部との中間に形成される前記第２方向に伸びる線を、バレル方向に歪ませる磁石であればよい。前記第１方向および前記第２方向は、水平方向または鉛直方向に限定されるわけではない。
【００６５】
なお、本実施の形態において、具体的に示した構造は、あくまでも一例であり、本発明は、これらの具体例のみに限定されるものではない。
【００６６】
（実施例）
本実施の形態にかかる陰極線管装置の具体的な実施例を示す。
【００６７】
図１に示している、陰極線管装置１は、５１ｃｍ（２２インチ）９０°偏向、ネック管の外径が２９．１ｍｍであるコンピュータモニタ用陰極線管装置を用いた。この陰極線管装置１の偏向ヨーク５は、水平偏向回路（水平偏向コイル６）のインダクタンスが７２［μＨ］、垂直偏向回路（垂直偏向コイル７）のインダクタンスが４．２［ｍＨ］である。
【００６８】
また、バレル磁石３３およびピンクッション磁石３１、３２に用いる各順磁石および各逆磁石は、以下の物を使用した。各順磁石は、大きさが９×２×４０［ｍｍ］、着磁量が５８［ｍＴ］の物を２つ（１対）使用した。逆磁石は大きさが１１×８×５２［ｍｍ］、着磁量が８２［ｍＴ］の物を４つ（２対）使用した。
【００６９】
順磁石および逆磁石の設置は、図１０で示したような設置とし、偏向ヨーク５のスクリーン（パネル２）側に設置した。順磁石は垂直軸上に中心がくるように、逆磁石は垂直軸から３０［ｍｍ］左右にずれた位置に中心がくるように設置した。磁石の極性は、順磁石は画像の最外周２１の上下の歪をバレル方向にするように、逆磁石は最外周２１の上下の歪をピンクッション方向にするように設置した。
【００７０】
上記の構成の本実施の形態の陰極線管装置の実施例と、逆磁石を有さず順磁石のみで最外周２１の上下の歪を直線に補正している陰極線管装置（比較例）との、内部縦線２２の歪を測定し、比較した。
【００７１】
その結果、逆磁石を有さない比較例の陰極線管装置の場合、内部縦線２２の歪は、１．３［ｍｍ］ピンクッション方向だった。一方、本実施の形態の陰極線管装置の実施例では、内部縦線２２の歪は、０．１［ｍｍ］バレル方向であった。つまり、比較例に比べて、バレル方向に１．４［ｍｍ］歪んでいる。この内部縦線２２の歪の値である０．１［ｍｍ］は、コンピュータモニタの一般的な規格である０．８［ｍｍ］以下を十分に満たしている。したがって、本実施の形態の陰極線管装置は、インナーピンクッション歪を十分に補正することができる。
【００７２】
【発明の効果】
本発明の陰極線管装置は、可飽和リアクターを使用せずともインナーピン歪を補正することができる。そのため、電力消費やうなり音を発生させることなしに、良好なラスタ特性を得ることができる。
【図面の簡単な説明】
【図１】本発明の実施の形態に係る陰極線管装置の構造を示す側面図
【図２】本発明の実施の形態に係る偏向ヨークの正面図
【図３】歪みのない状態を示す図
【図４】インナーピンクッション歪みを示す図
【図５】ピンクッション磁石（逆磁石）の設置位置と磁界を示す図
【図６】ピンクッション磁石（逆磁石）による歪を示す図
【図７】バレル磁石（順磁石）の設置位置と磁界を示す図
【図８】バレル磁石（順磁石）による歪を示す図
【図９】ピンクッション磁石（逆磁石）のみ設置した場合のインナーピンクッション歪みの補正を説明する図
【図１０】本実施の形態に係るインナーピンクッション歪みの補正を説明する図
【図１１】本発明の実施の形態に係る、磁石の他の設置位置を示す図
【図１２】本発明の実施の形態に係る、磁石を左右に設置する場合の設置位置を示す図
【図１３】本発明の実施の形態に係る、磁石を左右に設置する場合の他の設置位置を示す図
【符号の説明】
１  陰極線管装置
２  パネル
２ａ  位置
３  ファンネル
４  ネック部
５  偏向ヨーク
６  水平偏向コイル
７  垂直偏向コイル
８  絶縁支持枠
１０  コア
１３  電子銃
１１  コンバーゼンスマグネット
２１  最外周
２２  内部縦線
２２ａ  内部横線
２３  鉛直中心線
３１、３２、３４、３１ａ、３２ａ、３４ａ  ピンクッション磁石
３３、３３ａ  バレル磁石
４１ａ、４１ｂ、４１ｃ、４１ｄ、４１ｅ、４１ｆ、４２ａ、４２ｂ、４２ｃ、４２ｄ  磁力線
【図１】
2005005002.tif 000003
【図２】
2005005002.tif 000004
【図３】
2005005002.tif 000005
【図４】
2005005002.tif 000006
【図５】
2005005002.tif 000007
【図６】
2005005002.tif 000008
【図７】
2005005002.tif 000009
【図８】
2005005002.tif 000010
【図９】
2005005002.tif 000011
【図１０】
2005005002.tif 000012
【図１１】
2005005002.tif 000013
【図１２】
2005005002.tif 000014
【図１３】
2005005002.tif 000015